【手続補正書】
【提出日】平成18年5月23日(2006.5.23)
【手続補正１】
【補正対象書類名】明細書
【補正対象項目名】発明の名称
【補正方法】変更
【補正の内容】
【発明の名称】ランプおよびランプの製造方法
【手続補正２】
【補正対象書類名】明細書
【補正対象項目名】特許請求の範囲
【補正方法】変更
【補正の内容】
【特許請求の範囲】
【請求項１】  光を放出する光放出体と、
前記光放出体に電力を供給する回路構成体と、
前記電力が供給された前記光放出体から発生した熱と前記回路構成体から発生した熱とを外気へ放熱するように前記光放出体および前記回路構成体とを一体に形成されたカバー部材とを具備することを特徴とするランプ。
【請求項２】  前記カバー部材は、絶縁樹脂によって構成されている、請求項１記載のランプ。
【請求項３】  前記カバー部材は、前記光放出体の前記回路構成体側を密着して覆うように形成されている、請求項１記載のランプ。
【請求項４】  前記カバー部材は、前記回路構成体の全体を密着して覆うように形成されている、請求項１記載のランプ。
【請求項５】  回路構成体が設けられた光放出体を第１の型に固定する工程と、
前記光放出体に設けられた前記回路構成体を覆うように第２の型を前記第１の型に結合する工程と、
前記カバー部材を形成するために前記第２の型に形成された注入口から溶融した絶縁樹脂を注入する工程と、
前記溶融した絶縁樹脂を冷却した後、前記第２の型を前記第１の型から離す工程とを包含することを特徴とするランプの製造方法。
【請求項６】  前記溶融した絶縁樹脂の温度は、１９０℃以上２５０℃以下になっている、請求項５記載のランプの製造方法。
【請求項７】  前記溶融した絶縁樹脂を前記第２の型へ射出する射出圧力は、１Ｍｐａ以下になっている、請求項５記載のランプの製造方法。
【請求項８】  回路構成体が設けられた光放出体を第１の型に固定する工程と、
前記回路構成体が設けられた前記光放出体が固定された前記第１の型を回転させながら、溶融した絶縁樹脂を前記光放出体および前記回路構成体の外形に沿って注入する工程と、
前記光放出体の外形に沿って注入された絶縁樹脂を側面型によって成形する工程と、
前記回路構成体の外形に沿って注入された絶縁樹脂を覆うように第２の型を前記側面型に結合する工程と、
前記第２の型によって覆われた前記絶縁樹脂を加熱して再度溶融させる工程と、
再度溶融した前記絶縁樹脂を冷却する工程と、
前記第２の型を前記側面型から離した後、前記側面型を前記絶縁樹脂から離す工程とを包含することを特徴とするランプの製造方法。
【請求項９】  前記注入する工程は、前記溶融した絶縁樹脂を注入するために前記溶融した絶縁樹脂を加圧する工程を含んでいる、請求項８記載のランプの製造方法。
【手続補正３】
【補正対象書類名】明細書
【補正対象項目名】０００１
【補正方法】変更
【補正の内容】
【０００１】
【発明の属する技術分野】
本発明は、光放出体と、光放出体に放電現象を励起するための電力を供給する回路構成体とを備えたランプに関する。
【手続補正４】
【補正対象書類名】明細書
【補正対象項目名】００１１
【補正方法】変更
【補正の内容】
【００１１】
本発明の目的は、回路からの熱および光放出体からの熱を効率よく外気に放熱することができるランプおよびランプの製造方法を提供することにある。
【手続補正５】
【補正対象書類名】明細書
【補正対象項目名】００１２
【補正方法】変更
【補正の内容】
【００１２】
【課題を解決するための手段】
本発明に係るランプは、光を放出する光放出体と、前記光放出体に電力を供給する回路構成体と、前記電力が供給された前記光放出体から発生した熱と前記回路構成体から発生した熱とを外気へ放熱するように前記光放出体および前記回路構成体とを一体に形成されたカバー部材とを具備することを特徴とする。
【手続補正６】
【補正対象書類名】明細書
【補正対象項目名】００１３
【補正方法】変更
【補正の内容】
【００１３】
本発明に係るランプの製造方法は、回路構成体が設けられた光放出体を第１の型に固定する工程と、前記光放出体に設けられた前記回路構成体を覆うように第２の型を前記第１の型に結合する工程と、前記カバー部材を形成するために前記第２の型に形成された注入口から溶融した絶縁樹脂を注入する工程と、前記溶融した絶縁樹脂を冷却した後、前記第２の型を前記第１の型から離す工程とを包含することを特徴とする。
【手続補正７】
【補正対象書類名】明細書
【補正対象項目名】００１４
【補正方法】変更
【補正の内容】
【００１４】
本発明に係るランプの他の製造方法は、回路構成体が設けられた光放出体を第１の型に固定する工程と、前記回路構成体が設けられた前記光放出体が固定された前記第１の型を回転させながら、溶融した絶縁樹脂を前記光放出体および前記回路構成体の外形に沿って注入する工程と、前記光放出体の外形に沿って注入された絶縁樹脂を側面型によって成形する工程と、前記回路構成体の外形に沿って注入された絶縁樹脂を覆うように第２の型を前記側面型に結合する工程と、前記第２の型によって覆われた前記絶縁樹脂を加熱して再度溶融させる工程と、再度溶融した前記絶縁樹脂を冷却する工程と、前記第２の型を前記側面型から離した後、前記側面型を前記絶縁樹脂から離す工程とを包含することを特徴とする。
【手続補正８】
【補正対象書類名】明細書
【補正対象項目名】００１５
【補正方法】変更
【補正の内容】
【００１５】
【発明の実施の形態】
本実施の形態に係るランプにおいては、光放出体および回路構成体と一体に形成されたカバー部材が、電力が供給された光放出体から発生した熱と電力を供給する回路構成体から発生した熱とを外気へ放熱する。このため、電力が供給された光放出体から発生した熱と電力を供給する回路構成体から発生した熱とが効率よく外気へ放熱される。その結果、光放出体へ電力を供給する回路構成体を耐熱限界温度以下に確実に保つことができるランプを提供することができる。
【手続補正９】
【補正対象書類名】明細書
【補正対象項目名】００１７
【補正方法】変更
【補正の内容】
【００１７】
前記カバー部材は、前記光放出体（以下バルブとも称する）の前記回路構成体側を密着して覆うように形成されていることが好ましい。
【手続補正１０】
【補正対象書類名】明細書
【補正対象項目名】００３１
【補正方法】変更
【補正の内容】
【００３１】
本発明に係るランプの製造方法においては、カバー部材を形成するために第１の型に形成された注入口から溶融した絶縁樹脂を注入する工程と、溶融した絶縁樹脂を冷却した後、第２の型を第１の型から離す工程とを包含する。このため、電力が供給された光放出体から発生した熱と電力を供給する回路構成体から発生した熱とを外気へ放熱するようにカバー部材が光放出体および回路構成体と一体に形成される。従って、電力が供給された光放出体から発生した熱と電力を供給する回路構成体から発生した熱とが効率よく外気へ放熱される。その結果、光放出体へ電力を供給する回路構成体を耐熱限界温度以下に確実に保つことができるランプを製造することができる。
【手続補正１１】
【補正対象書類名】明細書
【補正対象項目名】００３４
【補正方法】変更
【補正の内容】
【００３４】
本発明に係るランプの他の製造方法においては、回路構成体が設けられた光放出体が固定された第１の型を回転させながら、溶融した絶縁樹脂を前記光放出体および回路構成体の外形に沿って注入する工程と、光放出体の外形に沿って注入された絶縁樹脂を側面型によって成形する工程と、回路構成体の外形に沿って注入された絶縁樹脂を覆うように第２の型を側面型に結合する工程と、第２の型によって覆われた絶縁樹脂を加熱して溶融状態を保つ又は再度溶融させる工程と、溶融している絶縁樹脂又は再度溶融した絶縁樹脂を冷却する工程と、第２の型を前記側面型から離した後、側面型を絶縁樹脂から離す工程とを包含する。このため、電力が供給された光放出体から発生した熱と電力を供給する回路構成体から発生した熱とを外気へ放熱するようにカバー部材が光放出体および回路構成体と一体に形成される。従って、電力が供給された光放出体から発生した熱と電力を供給する回路構成体から発生した熱とが効率よく外気へ放熱される。その結果、光放出体へ電力を供給する回路構成体を耐熱限界温度以下に確実に保つことができるランプを製造することができる。
【手続補正１２】
【補正対象書類名】明細書
【補正対象項目名】００７３
【補正方法】変更
【補正の内容】
【００７３】
【発明の効果】
以上のように本発明によれば、回路からの熱および光放出体からの熱を効率よく
外気に放熱することができるランプおよびランプの製造方法を提供する
ことができる。